(57)【要約】【課題】  高丈の組立式テーブルであって、脚部の一部に捩れ等を生じさせないものを提供する。【解決手段】  複数の板状部材を交差させて断面形状を放射状に構成し、または単一の板状部材を折曲し若しくは部分的に湾曲させて複数の角部を有する筒状に構成される１０１，２０１脚部と、この脚部の上端に設置される天板部１０２，２０２とを備える。天板部は、適宜な肉厚で形成されるとともに、裏面１２０，２２０において脚部の上端縁の係入を許容する係入用溝部１２１，１２２，２２１が形成されており、脚部を構成する板状部材から突出する複数の突起部が設けられており、複数の突起部のうち、その全部または一部によって支持され、脚部の隣接する表面の間に跨がる平面部１０３，２０３を形成する平面構成部材を備える。【選択図】  図１
2019126613.tif 000002
【特許請求の範囲】
【請求項１】
複数の板状部材を交差させて断面形状を放射状に構成し、または単一の板状部材を折曲し若しくは部分的に湾曲させて複数の角部を有する筒状に構成される脚部と、この脚部の上端に設置される天板部とを備え、
前記天板部は、適宜な肉厚で形成されるとともに、裏面において前記脚部の上端縁の係入を許容する係入用溝部が形成されており、
前記脚部を構成する板状部材から突出する複数の突起部が設けられており、
複数の前記突起部のうち、その全部または一部によって支持され、前記脚部の隣接する表面の間に跨がる平面部を形成する平面構成部材を備える
ことを特徴とする組立式簡易テーブル。
【請求項２】
前記板状部材は、段ボールその他の紙材によって構成されている請求項１に記載の組立式簡易テーブル。
【請求項３】
前記天板部は、複数枚の板状体を積層した状態で一体的に構成されるものであり、その表面層を除く板状体は、前記脚部の上端縁形状に合致する溝状の長孔が穿設されることにより、全体として係入用溝部が構成されている請求項１または２に記載の組立式簡易テーブル。
【請求項４】
前記板状部材は、その一部において略コ字状の切り溝が設けられており、前記突起部は、前記切り溝によって分離することにより、前記板状部材に連続しつつ表面から突出させるものである請求項１〜３のいずれかに記載の組立式簡易テーブル。
【請求項５】
前記板状部材は、部分的に穿設された溝状の貫通孔を有するものであり、前記突起部は、前記貫通孔に挿通する板片部によって構成されるものである請求項１〜３のいずれかに記載の組立式簡易テーブル。
【請求項６】
前記平面構成部材は、前記脚部の平面視における端縁を包囲する程度の面積を有し、かつ該脚部の平面視における形状に合致する挿通部を有するものである請求項１〜５のいずれかに記載の組立式簡易テーブル。
【請求項７】
前記板状部材は、前記脚部を形成させた状態における前記突起部の先端が位置する高さに、水平な方向に適宜長さを有する貫通溝を有するものであり、前記平面構成部材は、該貫通溝に対して十分な摩擦抵抗を有しつつ挿通可能な形状に構成されている請求項１〜５のいずれかに記載の組立式簡易テーブル。
【発明の詳細な説明】
【技術分野】
【０００１】
本発明は、組立式の簡易テーブルに関し、特に段ボール等の紙製板材を使用した軽量かつ持ち運び容易な簡易テーブルに関するものである。
【背景技術】
【０００２】
段ボール等の紙製板材を使用した組立式テーブルとしては、二枚の脚板を交叉状に咬み合わせ、その上端に天板を設置するものがあり、脚部と天板との一体性を向上させるために、脚部の上端に舌片を設け、天板には、当該舌片が侵入する袋状凹部を構成したものがあった（特許文献１参照）。また、耐荷重性を向上させるため、断面形状を長方形とする複数の脚部材を井桁状に交叉させたものがあった（特許文献２参照）。
【先行技術文献】
【特許文献】
【０００３】
【特許文献１】実開平６−７０６２８号公報
【特許文献２】特開２００９−５８０１号公報
【発明の概要】
【発明が解決しようとする課題】
【０００４】
前掲の特許文献１に開示される技術は、脚部と天板との一体性のみに着目したものであり、二枚の脚板を交叉状に咬み合わせた状体を維持させることまで考慮されていないものであった。すなわち、脚部の下端には、保持脚と称する八角形の筒状部材を係合させることができる実施例が記載されているが、この保持脚は、筒状であるため他の紙製材料と異なり、厚みを有するものであり、仮に平板状を八角形に折り曲げて構成したうえで用いる場合には、展開方向へ作用することから、これを防止するためには何らかの接着部材を必要とするものであった。
【０００５】
他方、特許文献２に開示される技術は、耐荷重性を向上させるためのものであって、脚部を構成する脚部材は、板状部材を折り曲げて断面形状を長方形とするものであるが、個々の脚部材には予め噛み合わせのための切込部が複数設けられ、複数の脚部材を形成したうえで、交互の切込部を係合させなければならず、組立が複雑となるものであった。しかも、天板部との係合には、天板部の差込爪を脚部材の差込孔に嵌め込む構成となっており、これまた複雑な組み立て作業が要求されるものであった。
【０００６】
また、上記技術はいずれも比較的低丈のテーブルを想定しているものである。すなわち、高丈のテーブルを構成する場合には、脚板または脚部材が鉛直方向に細長い形状となり、特許文献１に開示される構成のテーブルの場合には、天板部から床面までの途中において交叉した脚板に捩れを生じさせ、他方、特許文献２に開示される構成のテーブルの場合には、脚部材を構成する１枚の板状部材の面積が著しく大きいものとなり得るものである。ところが、前掲の各特許文献では、そのような問題点に関する示唆はなく、天板との一体性または係止の状態に関する記述に終始していることから、明らかに低丈のテーブルを前提とするものであった。
【０００７】
本発明は、上記諸点にかんがみてなされたものであって、その目的とするところは、高丈の組立式テーブルであって、脚部の一部に捩れ等を生じさせないものを提供することである。
【課題を解決するための手段】
【０００８】
そこで、本発明は、複数の板状部材を交差させて断面形状を放射状に構成し、または単一の板状部材を折曲し若しくは部分的に湾曲させて複数の角部を有する筒状に構成される脚部と、この脚部の上端に設置される天板部とを備え、前記天板部は、適宜な肉厚で形成されるとともに、裏面において前記脚部の上端縁の係入を許容する係入用溝部が形成されており、前記脚部を構成する板状部材から突出する複数の突起部が設けられており、複数の前記突起部のうち、その全部または一部によって支持され、前記脚部の隣接する表面の間に跨がる平面部を形成する平面構成部材を備えることを特徴とする。
【０００９】
上記構成によれば、断面形状を放射状または筒状に形成される脚部に対し、当該形状を維持するための平面構成部材を設置することが可能となる。すなわち、脚部の表面には突出する突起部が設けられ、この突起部によって平面構成部材が支持されることにより、平面構成部材が、脚部の隣接する表面の間に跨がる平面部を形成し得ることとなることから、当該平面部の存在により、脚部を構成する板状部材は、その一部に生ずる捩れに抗することができるのである。なお、単一の板状部材を折曲し若しくは部分的に湾曲させて構成される筒状の脚部にあっては、少なくとも隣接する表面が形成されるように複数の角部が設けられるものである。
【００１０】
上記構成の発明にあっては、前記板状部材が、段ボールその他の紙材によって構成されているものとしてよい。
【００１１】
組立式簡易テーブルを構成する材料としては、プラスチック製の板状部材やプラスチック製段ボールを使用することも可能であり、強度を重視する場合は、プラスチック製であることが好ましい。しかし、リサイクルや保存を容易にするためには紙製が好ましく、強度を有する紙製材料として紙製段ボールを使用することができる。上述のように高丈のテーブルにおける脚部の捩れに対する抵抗力を向上させることにより、紙製段ボール等の紙製材料を使用することも可能となるのである。
【００１２】
また、上記各構成の発明において、前記天板部は、複数枚の板状体を積層した状態で一体的に構成されるものであり、その表面層を除く板状体は、前記脚部の上端縁形状に合致する溝状の長孔が穿設されることにより、全体として係入用溝部が構成されるものとすることができる。
【００１３】
上記構成の場合には、天板部は複数の板状体が積層状態において一体化されるものであることから、天板部としての剛性を得ることができるとともに、天板部裏面に設けられる係入用溝部は、積層される板状体の一部について、貫通する長孔によって構成し得ることから、当該係入用溝部を容易に製造することができる。なお、天板部が二枚の板状体で構成される場合は、表面層を平板状とし、裏面層に長孔を設ける構成となるが、三枚以上の板状体を積層して構成する場合には、最も裏面側に位置する層から何枚分までに長孔を設けるかにより、係入用溝部の深さを調整することも可能となる。当然のことながら、係入用溝部を深く構成することにより、脚部に対する天板部の一体性が向上することとなる。
【００１４】
さらに、上記各構成の発明において、前記板状部材は、その一部において略コ字状の切り溝が設けられており、前記突起部は、前記切り溝によって分離することにより、前記板状部材に連続しつつ表面から突出させるものとすることができる。
【００１５】
上記構成によれば、突起部は、予め突出した状態で設けられるものではなく、また他の部材を貼着等することにより突出させるものでもないことから、組立前の状態は平板状であり、組立時において突起部を形成させることができる。略コ字状とは、概略として、一部に連続する部分を有し、かつ、切り溝によって所定の面積相当部分を板状部材から離脱させ得るような形状を意味するものである。従って、各切り溝が直線である必要はなく、弧状の切り溝によって構成される形態を含むものである。
【００１６】
また、突起部を構成する場合にあっては、前記板状部材には、部分的に穿設された溝状の貫通孔を設け、この貫通孔に挿通する板片部によって突起部を構成するものであってもよい。
【００１７】
上記構成によれば、他の部材を付加することにより突起部を構成するのであるが、この場合、突起部は接着剤等によって貼着されるものではなく、テーブルを構成する部材以外の材料等を要することなく組み立てることができる。そのうえ、分解した後において、再度の組立により、繰り返し使用することも可能となる。なお、板状部材に設けられる溝状の貫通孔に対し、板片部を挿通して固定する場合には、当該板片部にも切込部を設けることにより、交叉した状態で設置することが可能となり、平面構成部材の支持力を向上させることができる。
【００１８】
上記各構成の発明において、前記平面構成部材は、前記脚部の平面視における端縁を包囲する程度の面積を有し、かつ該脚部の平面視における形状に合致する挿通部を有するものとすることができる。
【００１９】
上記構成によれば、脚部の周囲が平面構成部材によって包囲された状態となることから、脚部の角部または脚部を構成する板状部材の端面部分に係合することにより、これらの板状部材の交差または折曲等される状態を安定的に維持させることができる。なお、脚部は断面形状が放射状または筒状となるように構成されていることから、放射状断面の場合には、平面構成部材は、当該放射状に形成されている板状部材の全ての先端を包囲することができるものであり、筒状断面の場合は、筒体の最外面よりも大きい面積を有するものである。
【００２０】
さらに、平面構成部材を形成する場合にあっては、前記板状部材には、前記脚部を形成させた状態における前記突起部の先端の高さに、水平な方向に適宜長さを有する貫通溝を形成し、この貫通溝に対して十分な摩擦抵抗を有しつつ挿通される形状の平面構成部材とすることができる。
【００２１】
上記構成の場合には、平面構成部材が、貫通溝に対して十分な摩擦抵抗を有するものであることから、貫通溝に挿通させることにより、脚部の隣接する表面に跨がる平面部を形成させたとした状態において、隣接する表面に対する維持力を発揮させることができる。また、貫通溝は、突起部の先端の高さに設けられることから、当該突起部によって平面構成部材が支持された状態となる。従って、比較的小面積による平面構成部材によって、平面部を構成することができ、また、平面構成部材は貫通溝に挿通される構成であるから、接着剤等による貼着の必要はないものである。
【発明の効果】
【００２２】
本発明によれば、脚部を構成する板状部材の状態が安定的に維持されることとなり、比較的高丈のテーブルとした場合であっても、当該テーブルの状態を維持させることができる。また、このような脚部の安定化に使用する平面構成部材は、天板部よりも下位に配置され、適宜面積を有する平面部が形成されることから、補助台として小物を載置することが可能となる。特に、平面構成部材は突起部によって支持されるものであるから、この突起部の強度に応じた重量に耐えることができるため、例えば、携帯電話や筆記用具などを置くことにより、天板部の表面を広く使用することも可能となる。
【図面の簡単な説明】
【００２３】
【図１】（ａ）は第１の実施形態を示す説明図であり、（ｂ）は第２の実施形態を示す説明図である。
【図２】第１の実施形態の組立方法を示す説明図である。
【図３】（ａ）は第１の実施形態の組立方法を示し、（ｂ）はその完成した状態を示す説明図である。
【図４】第２の実施形態の組立方法を示す説明図である。
【図５】（ａ）は第２の実施形態の組立方法を示し、（ｂ）はその完成した状態を示す説明図である。
【図６】第３の実施形態を示す説明図である。
【図７】第３の実施形態における脚部の組立方法を示す説明図である。
【図８】第３の実施形態における突起部の組立方法を示す説明図である。
【図９】（ａ）は第３の実施形態の組立方法を示し、（ｂ）は平面構成部材と脚部との関係を示す説明図である。
【図１０】（ａ）は第３の実施形態の組立方法を示し、（ｂ）はその完成した状態を示す説明図である。
【図１１】第３の実施形態の変形例による脚部の組立方法を示す説明図である。
【図１２】第３の実施形態の変形例による平面構成部材の設置状態を示す説明図である。
【図１３】他の実施形態を示し、いずれも脚部の構成を変形したものを示す説明図である。
【図１４】他の実施形態における完成状態を示す説明図である。
【発明を実施するための形態】
【００２４】
以下、本発明の実施の形態を図面に基づいて説明する。図１は、本発明の実施形態の概略を示す図であり、（ａ）は第１の実施形態を示し、（ｂ）は第２実施形態を示すものである。これらの図に示されるように、両実施形態のテーブル１００，２００は、脚部１０１，２０１の上端に天板部１０２，２０２を設置する組立式であり、脚部１０１，２０１の中間位置に平面構成部材１０３，２０３を配置することにより、脚部１０１，２０１の形状を安定させるものである。なお、天板部１０２，２０２の裏面１２０，２２０には適宜形状の係入用溝部１２１，１２２，２２１が設けられており、これらの係入用溝部１２１，１２２，２２１が脚部１０１，２０１の上端縁の係入を許容することにより、両者を一体的に組み立てることができるようになっている。
【００２５】
そこで、両実施形態の詳細について説明する。図２および図３は、第１の実施形態のテーブル１００を組み立てる際の手順を示している。まず、図２に示されているように、使用する部材の概略は、２枚の板状部材１１１，１１２と、天板部１０２と、平面構成部材１０３である。なお、天板部１０２は複数（図は２枚）の同径の円板部材１０２ａ，１０２ｂを積層した状態とし、予め貼り合わせて一体化したものである。
【００２６】
２枚の板状部材１１１，１１２は、相互に他方の板状部材の差し込みを可能な切込溝１４１，１４２が設けられ、切込溝１４１，１４２が設けられる部分を相互に差し込むことにより交差させ、全体として断面形状を放射状とする脚部１０１を構成し得るものとしている。
【００２７】
詳細に説明すれば、一方の（第１の）板状部材１１１については、上端縁を基点とする第１の切込溝１４１が形成され、他方の（第２の）板状部材１１２については、下端縁を基点とする第２の切込溝１４２が形成されている。この各切込溝１４１，１４２は、各端縁の幅寸法Ｗ１，Ｗ２の中央を基点として、高さ寸法Ｈの１／２の長さで設けられている。第１の板状部材１１１の切込溝１４１に対して、第２の板状部材１１２の切込溝１４２を差し込むことにより、第１の切込溝１４１には、第２の切込溝１４２に延長する第２の板状部材１１２の本体部分が差し込まれることとなる。同様に、第２の切込溝１４２には、第１の切込溝１４１に延長する第１の板状部材１１１の本体部分が差し込まれることとなり、両者１１１，１１２は、相互に交差した状態となるのである。
【００２８】
なお、各板状部材１１１，１１２には、高さ方向Ｈの略中間地点の同じ高さを境界に上端の幅寸法Ｗ１に対して幅広Ｗ２となるように形成され、当該境界部分が突起部１５１ａ，１５１ｂ，１５２ａ，１５２ｂとして機能させるように構成している。
【００２９】
このようにして両板状部材１１１，１１２を交差させることにより、図３（ａ）に示すように、脚部１０１は全体として断面形状を放射状（図は十字状）として形成することができる。このとき、両板状部材の下端縁は床面に同時に接地する状態となり、これと同時に、各突起部１５１ａ，１５１ｂ，１５２ａ，１５２ｂは床面から同じ高さとなるため、平面構成部材１０３を挿通させる場合、この平面構成部材１０３は当該突起部１５１ａ，１５１ｂ，１５２ａ，１５２ｂまで挿通（下降）させることができる。この状態で平面構成部材１０３は突起部１５１ａ，１５１ｂ，１５２ａ，１５２ｂによって支持される状態となる。なお、平面構成部材１０３には、予め脚部１０１の断面形状に合致する挿通部１３１，１３２が設けられ（図２参照）、この挿通部１３１，１３２を二枚の板状部材１１１，１１２に挿通することにより、脚部１０１の形状（放射状断面形状）を維持させることができる。
【００３０】
さらに、天板部１０２の裏面１２０に形成された係入用溝部１２１，１２２（図２参照）を脚部１０１の上端縁（放射状上端縁）に合致させつつ載置することにより、当該上端縁が係入用溝部１２１，１２２に係入し、天板部１０２を安定した状態で設置することができる。
【００３１】
上記のように平面構成部材１０３を挿通させ、天板部１０２を設置した状態により、テーブル１００が構成され、この状態を図３（ｂ）に示している。この図に示されるように、平面構成部材１０３は、脚部１０１を構成する二枚の板状部材１１１，１１２の側方端縁を包囲する面積を有しており、各板状部材１１１，１１２によって形成される４つの壁面に対して、隣接する表面間に跨がった状態となっている。このように各壁面の隣接する表面に跨がって平面構成部材１０３が存在することにより、各壁面の間隙が一定となるため、脚部１０１の捩れに抗することができるのである。従って、高丈のテーブルを構成した場合においてもテーブル全体の形態を維持させることができる。
【００３２】
なお、図３（ｂ）に示されるように、テーブル上面には天板部１０２の表面１２３によるテーブル面と、平面構成部材１０３による補助面１３３とが構成されることから、テーブル１００を使用する場合、使用目的に必要な物は専らによるテーブル面１２３に載せることができ、予備的な物は補助面１３３に置くことができることとなり、多目的な利用を可能にするものである。
【００３３】
次に、第２の実施形態について詳述する。図４および図５は、第２の実施形態のテーブル２００を組み立てる手順を示すものである。図４に示されるように、脚部２０１は、１枚の板状部材２１１によって構成され、そのほかに天板部２０２および平面構成部材２０３が使用される。
【００３４】
脚部２０１は、１枚の板状部材２１１を適宜箇所で折曲することにより、例えば断面形状を多角形（図は星型）の筒状に構成するものとしている。折曲の方法により、四角形や六角形などの筒状に形成することも可能であるが、補助的な平面部（補助面２３３、図５参照）を形成するためには、逆向きに折り曲げた谷部を設けることが望ましい。図示のような星型形状とする場合は、側方に突出する山形部２４１と、側方に窪みを有する谷形部２４２を設けることができる。
【００３５】
ところで、本実施形態の板状部材２１１には、適宜位置にコ字状の切り溝２５１が設けられ、この切り溝２５１によって分離する部分によって突起部２５２が構成されるものとしている。切り溝２５１をコ字状としていることから、板状部材２１１と連続する部分が存在するため、その連続する部分を僅かに折曲することで、板状部材２１１の表面から突起部２５２を突出させることができるものである。
【００３６】
板状部材２１１に対する切り溝２５１の形成する向きは任意であり、一部が突出することによって当該一部によって突起部２５２として機能させるのである。なお、切り溝２５１は略コ字状であれば、その形状の詳細まで問うものではなく、例えば、切り溝２５１を弧状とし、連続する部分を弦方向としてもよい。また、突起部２５２は、組立前の状態では突出させるものではなく、組み立てる際に外向きに押し出すようにして突出させればよいものである。
【００３７】
このように、筒状に形成される脚部２０１の長手方向に対して、ほぼ同じ高さに突起部２５２を形成させることにより、平面構成部材２０３を同じ高さにおいて支持させることが可能となる。
【００３８】
本実施形態の平面構成部材２０３には、断面形状（星型形状）に合致した挿通部２３１が設けられており、脚部２０１の山形部２４１を含む全体を包囲しつつ当該脚部２０１に挿通できるものとなっている。この平面構成部材２０３の設置により、山形部２４１が隣接する板状部材２１１の表面に跨がる平面部が形成されるようになっており、１枚の板状部材２１１を折曲して形成される脚部２０１の形状は、平面構成部材２０３の挿通により確定させることができる。すなわち、展開した１枚の板状部材２１１を折曲して形成した状態は、その末端部２１０ａ，２１０ｂが開放する方向へ変形し、また、山形部２４１および谷形部２４２は、折曲角度が拡大する方向へ変形することがあるため、全体を平面構成部材２０３で包囲することにより防止することができるのである。
【００３９】
また、脚部２０１を筒状の状態で維持させるためには、板状部材２１１の末端部２１０ａ，２１０ｂを接合するなどの作業が要求されることとなるが、平面構成部材２０３を設けることにより、そのような接合は不要となる。従って、接着剤等を使用することがないため、部材以外の材料を予め用意する必要もない。さらには、分解することも容易であるうえ、接合等がされていないことから分解後は元の状態まで戻すことができ、繰り返し使用することが可能となる。
【００４０】
さらに、天板部２０２を装着することにより、脚部２０１は、上端縁と中間部分とで固定され、筒状に折曲した形状を維持することが可能となる。なお、天板部２０２は、やはり複数の同径の円板部材２０２ａ，２０２ｂを積層した状態で一体化したものであり、裏面２２０には、脚部２０１の上部端縁が形成されるべき形状（星型）の係入用溝部２２１が設けられ、この天板部２０２を脚部２０１の上部端縁に装着することにより、脚部２０１の上端を安定化させることができる。
【００４１】
そこで、図５（ａ）に示すように、平面構成部材２０３を脚部２０１に挿通し、突起部２５２によって適宜な高さに支持されることにより、脚部２０１の捩れに抗することができるのである。これにより、高丈のテーブルを構成した場合においてもテーブル全体の形態を維持させることができる。
【００４２】
また、図５（ｂ）に示すように、平面構成部材２０３は、脚部２０１に形成される複数の山形部２４１の両側壁面における各隣接表面に跨がった状態となっている。このように各壁面の隣接表面に跨がって平面構成部材２０３が存在することにより、各壁面の間隙を一定とすることができるものである。このように、組立時において板状部材２１１を折曲する場合であっても、全周において均等な状態の各部２０１を形成し得るのである。本実施形態においては、折曲工程を容易にするため、折曲すべき部分には、予め折り目となる罫線部（断面略Ｖ字状の凹状線）を設けることが好ましい。特に図示のような星形形状とする場合には、折曲方向が内向きと外向きに分かれるため、罫線部を設けることにより折曲方向を明確にすることができるからである。
【００４３】
なお、脚部２０１を四角形や六角形の筒状とする場合、谷形部が形成されず、山形部のみによって形成されることとなる。この場合の隣接する表面とは、当該山形部を形成する両斜面となるが、上述のように、平面構成部材２０３が山形部を含む全てを包囲する部材である場合には、当該平面構成部材２０３による平面部が、これら隣接する表面に跨がって設けられることとなる。このような構成においても、複数の山形部の形状が確保されることにより、脚部２０１の形状は安定することとなるものである。
【００４４】
次に、その他の実施形態について説明する。図６は、本実施形態の概略を示すものである。本実施形態は、第１の実施形態の変形例であり、基本的には２枚の板状部材３１１，３１２を交差させることにより、断面形状を放射状とするものである。そのため、天板部３０２の裏面３２０には、十字状の係入用溝部３２１，３２２が設けられている。
【００４５】
第１の実施形態との相違点は、第１の実施形態における突起部１５１に代えて、独立して構成される板片部３５１の装着によって構成するものとし、また、平面構成部材３０３が小面積の部材で構成したものである。さらに、板状部材３１１，３１２は、それぞれ二枚の紙製段ボールを積層しており、天板部３０２と連結する端縁を部分的に切欠いた切欠部３１０ａ，３１０ｂ，３２０ａ，３２０ｂを有する構成としている。本実施形態のような構成の場合、組立に際しては、第１の実施形態に比較して複数の段階を追加的に経由して完成されるものである。そこで、組立手順とともに各構成部材の詳細を説明する。
【００４６】
図７〜図１０に組立の手順を示している。なお、図７および図８は脚部３０１の組立方法を示し、図９は平面構成部材の設置方法を示すものである。この図７（ａ）および（ｂ）に示すように、二枚の板状部材３１１，３１２は、第１の実施形態と同様に、それぞれに切込溝３４１，３４２が設けられていることから、これらを相互に差し込むことにより、交差した状態によって、断面形状を放射状とする脚部３０１を形成することができる。
【００４７】
なお、図７（ａ）に示されているように、両板状部材３１１，３１２のうち一方（第１の板状部材）３１１には、切込溝３４１の終端において直交方向に長尺な直線状の貫通溝３６１が穿設されるとともに、当該貫通溝３６１の両端近傍には、さらにこれに直交する溝状の貫通孔３６２，３６３が穿設されている。また、他方（第２の板状部材）３１２には、前記溝状貫通孔３６２，３６３と対象な位置に溝状貫通孔３７２，３７３が穿設されている。従って、図７（ｂ）に示されているように、二枚の板状部材３１１，３１２を交差させた状態では、第１の板状部材３１１に設けられる貫通溝３６１は、交差する第２の板状部材３１２によって遮られ、その約半分が隣接する表面上に露出する。また、それぞれの板状部材３１１，３１２に設けられる溝状貫通孔３６２，３６３，３７２，３７３は、同じ高さにおいて隣接する相互の表面に対向して表れることとなる。
【００４８】
そこで、図８に示すように、個々の溝状貫通孔３６２・・・３７３に対し、一部に切欠き部３８１を有する板片部３０８を装着することにより、その一部をもって突出部３５１として機能させるのである。図８（ａ）に示されているように、板片部３０８は、全体形状を四辺形の板状であり、その一辺の長さ（高さ）が、ちょうど溝状貫通孔３６２・・・３７３を挿通できる程度とし、他の辺（底辺）の中央に切欠き部３８１を設けたものである。切欠き部３８１は、板状部材３１１，３１２の肉厚に応じた幅で設けられ、当該切欠き部３８１に板状部材３１１，３１２が差し込まれる状態とすることによって、安定的に係止され得るものである。
【００４９】
従って、図８（ｂ）に示すように、切欠き部３８１を下向きとしつつ、複数の板片部３０８を個々の溝状貫通孔３６２・・・３７３に挿通させ、さらに当該板片部３０８を下方へ移動させることにより、切欠き部３８１を板状部材３１１，３１２に係止させることができる。このときの板片部３０８は、上方のみへ移動が自在であり、下方への移動が制限されるとともに、係止した状態で溝状貫通孔３６２・・・３７３と、切欠き部３８１とが相互に差し込まれて状態となるから、傾斜する方向への変形も制限されることとなる。このような状態において、板片部３０８の一部が、板状部材３１１，３１２の表面から突出する突起部３５１として機能させることができるのである。
【００５０】
さらに、図９に示すように、第１の板状部材３１１に予め設けられた貫通溝３６１を使用して平面構成部材３０３ａ，３０３ｂを装着するのである。具体的には、平面構成部材３０３ａ，３０３ｂは、個々が概ね半円形となる板状に構成されたものであり、この半円形部分を個別に貫通溝３６１に挿入するのである。平面構成部材３０３ａ，３０３ｂの半径は、第１の板状部材３１１の貫通溝３６１が第２の板状部材３１２によって遮断された残余の長さと同程度、またはそれ以下としており、半円形の表面を水平な状態としつつ挿通可能なものとしている。また、平面構成部材３０３ａ，３０３ｂの肉厚は、貫通溝３６１を挿通し得るが、緩やかに挿通（遊挿）できるものではなく、適度な摩擦抵抗を生じさせる程度の肉厚としている。
【００５１】
このように、半円形の平面構成部材３０３ａ，３０３ｂをそれぞれ貫通溝３６１に挿通させることにより、前述した突起部３５１として機能する板片部３０８の４つの位置で支持されることとなる。このとき、上記のような摩擦抵抗により、第１の板状部材３１１と平面構成部材３０３ａ，３０３ｂとは適度な状態で一体化し、また、平面構成部材３０３ａ，３０３ｂの直線部（弦部分）が、第２の板状部材３１２の表面に当接することとなり、当該第２の板状部材３１２の移動を抑止することとなる。すなわち、板状部材３１１，３１２の隣接する表面に跨がる状態で適度な強度で固定された平面部を構成することができるものである。
【００５２】
さらに、図１０に示すように、上述のようにして脚部３０１の中間的な位置における板状部材３１１，３１２の状態を安定させたうえ、天板部３０３を装着することにより、脚部３０１の上端の状態をも安定させ、テーブル３００としての状態を確保するものとなる。
【００５３】
なお、天板部３０３の裏面３２０には、上述のとおり十字状の係入用溝部３２１，３２２が設けられ、この係入用溝部３２１，３２２に対して脚部３０１の上部端縁を係入することにより、天板部３０３が安定した状態で設置されるものとなる。また、本実施形態では、板状部材３１１，３１２の上部端縁に切欠部３１０ａ，３１０ｂ，３２０ａ，３２０ｂを形成したことから、この切欠部３１０ａ，３１０ｂ，３２０ａ，３２０ｂに係入用溝部３２１，３２２の両端を合致させることにより、天板部３０３は、その周辺の厚肉部分（積層された部分）によって保持される領域が存在し、天板部３０３の強度を保持させることとなるものである。
【００５４】
上述の第３の実施形態については、図１１に示すように一部を変形した構成としてもよい。すなわち、図１１に示されるように、第２の板状部材３１２についても切込溝３４２の終端に、これに直交する方向の長尺な貫通溝３７１を穿設してもよい。この場合においては、第１の板状部材３１１と同様に、当該貫通溝３７１の両端近傍には、さらにこれに直交する溝状貫通孔３７２，３７３を穿設するのである。
【００５５】
このような構成の場合には、第１の板状部材３１１に限定せず、第２の板状部材３１２においても平面構成部材３０３ａ，３０３ｂを挿通することが可能となり、組立の際の任意なものを選択することができる。双方の板状部材２１１，２１２に貫通溝３６１，３７１を形成する場合であっても、平面構成部材３０３ａ，３０３ｂが挿通されていない側は、当該平面構成部材３０３ａ，３０３ｂが容易に挿入されないため、他方の板状部材３１１（または３１２）を安定化させ得る。
【００５６】
なお、平面構成部材３０３ａ，３０３ｂが挿通されない側の板状部材（図は第２の板状部材３１２）の表面に対し、当該平面構成部材３０３ａ，３０３ｂによる位置決めの効果を得るため、平面構成部材３０３ａ，３０３ｂの構成を変更することができる。すなわち、図１２に示すように、平面構成部材３０３ａ，３０３ｂは、楕円を基準としつつ長軸に平行な線で分割してなる半円形状とし、挿通すべき貫通溝（図の例示は第１の板状部材３１１に設けた貫通溝３６１）に当該楕円形状の短軸側を挿通させるのである。これにより、長軸側の端縁の長さＤが貫通溝３７１の長さＬよりも長くなり、その先端部分を他方の板状部材（図は第２の板状部材）３１２の表面に当接させることができ、当該他方の板状部材の位置を安定化させることができる。
【００５７】
上記各実施形態は、上記のような構成であるから、比較的高丈のテーブル１００，２００，３００として組み立てられた場合においても、脚部１０１，２０１，３０１の形状は、平面構成部材１０３，２０３，３０３ａ，３０３ｂによって安定化される。さらに天板部１０２，２０２，３０２が脚部１０１，２０１，３０１の上端縁に係入されることにより、二箇所で形状が保持されることから、安定的な高丈のテーブル１００，２００，３００となり得るものである。
【００５８】
また、平面構成部材１０３，２０３，３０３ａ，３０３ｂは、天板部１０２，２０２，３０２とは異なる位置において、水平な平面を形成することから、天板部１０２，２０２，３０２のほかに物品を載置する目的に利用し得るものとなる。
【００５９】
本発明の実施形態は以上のとおりであるが、上記各実施形態は、本発明の一例を示すものであって、本発明が上記実施形態に限定されるものではない。従って、本発明の趣旨に基づいて、適宜変形し、または他の構成部材を追加することが可能である。
【００６０】
例えば、図１３（ａ）に示すように、第１の実施形態における板状部材１１１，１１２に設けられる突起部１５１は、明確に突出する形状（図２参照）とする場合に限らず、幅寸法を緩やかに拡大させる斜状または弧状としてもよい。また、図１３（ｂ）に示すように、二枚の板状部材１１１，１１２に対し、第３の板状部材１１３をさらに使用してもよい。この場合、第２の板状部材１１２は、切込溝１４２は、上下の両端縁から適宜長さで形成することにより、第１の板状部材１１１との交差を可能にしたうえ、第３の板状部材１１３との交差も可能にし得る。
【００６１】
上記のような変形例の場合においても、図１４（ａ）に示すように、平面構成部材１０３を挿通しつつ下降させる場合、幅広部分において下降は停止し、当該位置において支持され得ることとなる。このような支持状態であっても、脚部を安定化させ、物品の載置も可能となる。また、図１４（ｂ）に示すように、三つの板状部材１１１，１１２，１１３によって放射状断面の脚部１０１を形成することができる。
【符号の説明】
【００６２】
１００，２００，３００  テーブル
１０１，２０１，３０１  脚部
１０２，２０２，３０２  天板部
１０２ａ，１０２ｂ，２０２ａ，２０２ｂ  円板部材
１０３，２０３，３０３ａ，３０３ｂ  平面構成部材
１１１，１１２，１１３，２１１，３１１，３１２  板状部材
１２３，２２３  テーブル面
１３３，２３３  補助面
１３１，１３２，２３１  挿通部
１４１，１４２，３４１，３４２  切込溝
１５１，１５１ａ，１５１ｂ，２５２，３５１  突起部
２４１  山形部
２４２  谷形部
３６１，３７１  貫通溝
３６２，３６３，３７２，３７３  溝状の貫通孔
３０８  板片部
３８１  切欠き部
【図１】
2019126613.tif 000003
【図２】
2019126613.tif 000004
【図３】
2019126613.tif 000005
【図４】
2019126613.tif 000006
【図５】
2019126613.tif 000007
【図６】
2019126613.tif 000008
【図７】
2019126613.tif 000009
【図８】
2019126613.tif 000010
【図９】
2019126613.tif 000011
【図１０】
2019126613.tif 000012
【図１１】
2019126613.tif 000013
【図１２】
2019126613.tif 000014
【図１３】
2019126613.tif 000015
【図１４】
2019126613.tif 000016